【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
カップと担持体とを備える寛骨臼カップアセンブリであって、
前記カップは、
リムを有し、かつ
前記リムに垂直に延びる第１の長手方向軸を有し、かつ
多孔質金属外側部と、中実金属内側部とを有し、
前記中実金属内側部が、
前記多孔質金属外側部に接続され、かつ
第１のレッジ部、第２のレッジ部、及び、前記第１のレッジ部と前記第２のレッ
ジ部との間に位置する担持体係合面を含む前記リムを有し、
前記担持体嵌合面が、前記第１の長手方向軸に平行な、前記カップの断面に
おいて円弧状またはテーパ状であり、
前記中実金属内側部が、
前記多孔質金属外側部から取り外せないように、前記多孔質金属外側部に冶金学
的に結合され、
前記中実金属内側部が、少なくとも一つの環状リップを有し、
前記少なくとも一つの環状リップが、前記第１の長手方向軸に対して実質的に
垂直に、径方向に延び、かつ厚さを有する前記多孔質金属外側部に、入りこん
でおり、
前記担持体は、
第１のショルダを有し、かつ前記第１のショルダに垂直に延びる第２の長手方向軸を有
し、
さらに、第２のショルダ、及び前記第１のショルダと前記第２のショルダとの間に位置
するカップ係合面を有し、
前記カップ係合面が、前記第２の長手方向軸に平行な、前記カップの断面において
円弧状または円錐形状であり、
前記担持体は、組み立てられた位置において前記中実金属内側部に固定されるように構成され、前記担持体の前記第１のショルダと前記リムの前記第１のレッジとが係合し、前記担持体係合面と前記カップ係合面が確実に締まり嵌め接続される、
寛骨臼カップアセンブリ。
【請求項２】
前記第１のレッジ部及び第２のレッジ部が前記カップの長手方向軸に対してほぼ垂直であり、
組み立てられた位置において、前記第２のレッジ部が前記第２のショルダに係合する、請求項１に記載の寛骨臼カップアセンブリ。
【請求項３】
前記中実金属内側部が、前記リムと一体に形成される、請求項２に記載の寛骨臼カップアセンブリ。
【請求項４】
前記リムから前記多孔質金属外側部への移行部が、
前記中実金属内側部に形成された第１の環状ポケットと、
前記多孔質金属外側部に形成された第２の環状ポケットと、
前記中実金属内側部の周囲に延在し、且つ前記第２の環状ポケット内に受容される第１の環状リップと、
前記多孔質金属外側部の周囲に延在し、且つ前記第１の環状ポケット内に受容される第２の環状リップと、
を備える、請求項３に記載の寛骨臼カップアセンブリ。
【請求項５】
前記中実金属内側部が、第１の直径を有する内側嵌合面を含み、
前記担持体が、第２の直径を有する外側嵌合面を含み、
組み立てられていない位置において、前記第２の直径が前記第１の直径より大きい、請求項１に記載の寛骨臼カップアセンブリ。
【請求項６】
前記カップは、前記担持体と組み立てられる前に加熱され、前記担持体の外側嵌合面を受容するための前記第１の直径を大きくするようになっている、請求項５に記載の寛骨臼カップアセンブリ。
【請求項７】
前記担持体は、前記カップと組み立てられる前に冷却され、前記カップの内側嵌合面を挿入するための前記第２の直径を小さくするようになっている、請求項５に記載の寛骨臼カップアセンブリ。
【請求項８】
前記多孔質金属外側部は、第１の厚さを画定し、
前記中実金属内側部は、第２の厚さを画定し、
前記第１の厚さが前記第２の厚さより大きい、請求項１に記載の寛骨臼カップアセンブリ。
【請求項９】
前記リムは、前記カップの厚さ方向全体にわたって形成される、請求項１に記載の寛骨臼カップアセンブリ。
【請求項１０】
前記担持体は、コバルト、セラミック及びダイヤモンドの中の少なくとも１つから形成される、請求項１に記載の寛骨臼カップアセンブリ。
【請求項１１】
前記担持体は、コバルトから形成される、請求項１に記載の寛骨臼カップアセンブリ。
【請求項１２】
カップと担持体とを備える寛骨臼カップアセンブリであって、
前記カップは、
リムを有し、かつ
前記リムに垂直に延びる第１の長手方向軸を有し、かつ
第１の厚さを有する多孔質金属外側部と、前記第１の厚さより大きい第２の厚さを有す
る中実金属内側部とを有し、
前記リムが、第１のレッジ部、第２のレッジ部、及び、前記第１のレッジ部と前記第
２のレッジ部との間に位置する担持体係合面を含み、
前記担持体係合面が、前記第１の長手方向軸に平行な、前記カップの断面におい
て、円弧状であり、
前記中実金属内側部が、前記多孔質金属外側部に冶金学的に結合され、かつ径方向に延び、前記第１の厚さに、入りこんでいる少なくとも一つの環状リップを有し、
前記担持体は、
第１のショルダを有し、かつ前記第１のショルダに垂直に延びる第２の長手方向軸を有
し、
さらに第２のショルダ、及び前記第１のショルダと前記第２のショルダとの間に位置す  るカップ係合面を有し、
前記カップ係合面が、前記第２の長手方向軸に平行な、前記カップの断面において
円弧状であり、
前記担持体は、組み立てられた位置において前記中実金属内側部に固定されるように構成され、前記担持体の前記第１のショルダと前記リムの前記第１のレッジとが係合し、前記担持体係合面とカップ係合面が確実に締まり嵌め接続される、
寛骨臼カップアセンブリ。
【請求項１３】
前記第１のレッジ部及び第２のレッジ部が前記第１の長手方向軸に対してほぼ垂直であり、
組み立てられた位置において、前記第２のレッジ部が前記第２のショルダに係合する、請求項１２に記載の寛骨臼カップアセンブリ。
【請求項１４】
前記リムから前記多孔質金属外側部への移行部が、
前記中実金属内側部に形成された第１の環状ポケットと、
前記多孔質金属外側部に形成された第２の環状ポケットと、
前記中実金属内側部の周囲に延在し、且つ前記第２の環状ポケット内に受容される第１の環状リップと、
前記多孔質金属外側部の周囲に延在し、且つ前記第１の環状ポケット内に受容される第２の環状リップと、
を備える、請求項１２に記載の寛骨臼カップアセンブリ。
【請求項１５】
前記中実金属内側部が、第１の直径を有する内側嵌合面を含み、
前記担持体が、第２の直径を有する外側嵌合面を含み、
組み立てられていない位置において、前記第２の直径が前記第１の直径より大きい、請求項１２に記載の寛骨臼カップアセンブリ。
【請求項１６】
カップと担持体とを備える寛骨臼カップアセンブリであって、
前記カップは、
リムを有し、かつ
前記リムに垂直に延びる第１の長手方向軸を有し、かつ
第１の厚さを有する多孔質金属外側部と、前記第１の厚さよりも小さい第２の厚さを有
する中実金属内側部と、前記リムから前記多孔質金属外側部への移行部とを有し、
前記中実金属内側部が、
前記多孔質金属外側部に冶金学的に結合され、かつ
第１のレッジ部、第２のレッジ部、及び、前記第１のレッジ部と前記第２のレッ
ジ部との間に位置する担持体係合面を含む前記リムを有し、              
前記第１のレッジ部及び第２のレッジ部が前記第１の長手方向軸に対して
ほぼ垂直であり、
前記担持体係合面が、前記第１の長手方向軸に平行な、前記カップの断面に
おいて、テーパ状であり、
前記移行部が、
前記中実金属内側部に形成された第１の環状ポケットと、
前記多孔質金属外側部に形成された第２の環状ポケットと、
前記中実金属内側部の周囲に延在し、且つ前記第２の環状ポケット内に受容され
る第１の環状リップと、
前記多孔質金属外側部の周囲に延在し、且つ前記第１の環状ポケット内に受容さ
れる第２の環状リップとを有し、
前記担持体は、
第１のショルダを有し、かつ前記第１のショルダに垂直に延びる第２の長手方向軸を有
し、
さらに第２のショルダ、及び前記第１のショルダと前記第２のショルダとの間に位置す
るカップ係合面を有し、
前記カップ係合面が、前記第２の長手方向軸に平行な、前記カップの断面において
円錐形状であり、
前記担持体は、組み立てられた位置において前記中実金属内側部に固定されるように構成され、前記担持体の前記第１のショルダと前記リムの前記第１のレッジとが係合し、前記第２のショルダと前記第２のレッジとが係合し、担持体係合面とカップ係合面が確実に締まり嵌め接続される、
寛骨臼カップアセンブリ。